(57)【要約】【課題】  原稿搬送路中の画像読取位置における原稿の搬送位置のバラツキをなくすとともに迷光の入射を防ぐことで高品位な画像データを取得でき、かつ、画像読取後の画像処理が簡易な画像読取装置を提供する。【解決手段】  画像読取装置１は、原稿搬送路４を所定方向に搬送される原稿の第１面の画像を読み取る第１の画像読取手段５と、原稿の第２面の画像を読み取る第２の画像読取手段６と、を備えている。原稿の搬送方向において画像読取手段５による画像読取位置Ａの上流側に、搬送ローラ１１と原稿搬送路４の湾曲部１２とが原稿の搬送方向に沿ってこの順序で配置され、原稿の搬送方向において画像読取手段６による画像読取位置Ｂの上流側に、搬送ローラ１６と原稿搬送路４の屈曲部１４とが原稿の搬送方向に沿ってこの順序で配置されている。【選択図】  図１
2006093790.tif 000002
【特許請求の範囲】
【請求項１】
原稿搬送路を所定方向に搬送される原稿の第１面の画像を読み取る第１の画像読取手段と、
前記原稿の第２面の画像を読み取る第２の画像読取手段と、を備え、
前記原稿の搬送方向における前記各画像読取手段による画像読取位置の上流側に、前記原稿を搬送する搬送ローラと前記原稿搬送路の湾曲部又は屈曲部とが前記原稿の搬送方向に沿ってこの順序で配置されることを特徴とする画像読取装置。
【請求項２】
前記第１の画像読取手段は、所定位置に固定された原稿に対して変位して前記原稿の画像を読み取り自在であることを特徴とする請求項１に記載の画像読取装置。
【請求項３】
前記第１の画像読取手段は、所定位置に固定された原稿に対して変位して前記原稿の画像を読み取る際のホームポジションにおいて、前記原稿搬送路を所定方向に搬送される原稿の画像を読み取ることを特徴とする請求項２に記載の画像読取装置。
【請求項４】
前記第１の画像読取手段の読取解像度と前記第２の画像読取手段の読取解像度とは、略同一であることを特徴とする請求項１から３のいずれかに記載の画像読取装置。
【請求項５】
前記第１の画像読取手段及び前記第２の画像読取手段は、それぞれ縮小光学系を含むことを特徴とする請求項１から４のいずれかに記載の画像読取装置。
【請求項６】
前記原稿搬送路における前記第１の画像読取手段及び前記第２の画像読取手段のそれぞれに対向する位置に、前記各画像読取手段のシェーディング補正に用いられる標準白板が配置されることを特徴とする請求項１から５のいずれかに記載の画像読取装置。
【請求項７】
前記湾曲部又は前記屈曲部のそれぞれに、搬送される原稿の汚れを除去する汚れ除去部材が配置されることを特徴とする請求項６に記載の画像読取装置。
【発明の詳細な説明】
【技術分野】
【０００１】
この発明は、原稿搬送路を所定方向に搬送される原稿の両面の画像を読み取る画像読取装置に関する。
【背景技術】
【０００２】
従来の画像読取装置の中には、原稿搬送路を１回搬送することで原稿の両面の画像を読み取る機能を備えたものがある（例えば、特許文献１参照。）。図４は、従来の画像読取装置の概略の構成を示した断面図である。従来の画像読取装置１００は、原稿載置トレイ１０１から原稿排出トレイ１０２に至る原稿搬送路１０３を備えている。原稿は、原稿搬送路１０３を原稿載置トレイ１０１から原稿排出トレイへ向けて搬送される。原稿搬送路１０３中に、ＣＣＤ方式の画像読取手段１０４とＣＩＳ方式（密着型光学読取方式）の画像読取手段１０５とが、原稿の搬送方向に沿ってこの順序で配置されている。ＣＣＤ方式の画像読取手段１０４は原稿の第１面の画像を読み取り、ＣＩＳ方式の画像読取手段１０５の上流側は原稿の第２面の画像を読み取る。ＣＣＤ方式の画像読取手段１０４の上流側には、搬送ローラ１０６と原稿搬送路の湾曲部１０７とが原稿の搬送方向に沿ってこの順序で配置されているのに対して、ＣＣＤ方式の画像読取手段１０４とＣＩＳ方式の画像読取手段１０５との間には、搬送ローラが配置されておらず、原稿搬送路１０３が略直線状に形成されている。
【特許文献１】特開２００２−１８２４３７公報
【発明の開示】
【発明が解決しようとする課題】
【０００３】
従来の画像読取装置１００では、２個の画像読取手段１０４，１０５のそれぞれの読取解像度が大きく異なるので、取得した画像データに基づく表面の画像と裏面の画像とで画像解像度が大きく異なり、表面の画像データ用と裏面の画像データ用との異なる２種類の画像処理方法を備えている必要がある。
【０００４】
また、ＣＣＤ方式の画像読取手段１０４の焦点深度（約２ｍｍ〜３ｍｍ）に対してＣＩＳ方式の画像読取手段１０５の焦点深度（約０．５ｍｍ〜１ｍｍ）が小さい。したがって、図５に示すように、原稿搬送路１０３の高さ方向の搬送領域１０８に対して、ＣＩＳ方式の画像読取手段１０５の焦点が合致する領域１０９が小さく、原稿が領域１０９以外の領域を搬送された場合は、取得された画像データに基づく画像にピンボケ現象が発生する。ところで、ＣＣＤ方式の画像読取手段１０４とＣＩＳ方式の画像読取手段１０５との間には、搬送ローラが配置されておらず、原稿搬送路１０３が略直線状に形成されているので、原稿は搬送領域１０８内のランダムな位置を搬送される。したがって、図５において、原稿が搬送位置Ｃ，Ｄを搬送された場合は高品位な画像データが取得されるが、原稿が搬送位置Ａ，Ｂを搬送された場合は、取得された画像データに基づく画像にピンボケ現象が発生する。
【０００５】
さらに、従来の画像読取装置１００では、小型化を図るために、ＣＣＤ方式の画像読取手段１０４とＣＩＳ方式の画像読取手段１０５との距離が近い。そして、上述のように、ＣＣＤ方式の画像読取手段１０４とＣＩＳ方式の画像読取手段１０５との間の原稿搬送路１０３が略直線状に形成されているので、一方の画像読取手段から発せられた光が原稿搬送路１０３に沿って他方の画像読取手段に迷光として入射し、他方の画像読取手段で取得された画像データに基づく画像の品位が低下する。
【０００６】
この発明の目的は、原稿搬送路中の画像読取位置における原稿の搬送位置のバラツキをなくすとともに迷光の入射を防ぐことで高品位な画像データを取得でき、かつ、画像読取後の画像処理が簡易な画像読取装置を提供することにある。
【課題を解決するための手段】
【０００７】
この発明の画像読取装置は、上述の課題を解決するために以下のように構成される。
【０００８】
（１）原稿搬送路を所定方向に搬送される原稿の第１面の画像を読み取る第１の画像読取手段と、前記原稿の第２面の画像を読み取る第２の画像読取手段と、を備え、前記原稿の搬送方向における前記各画像読取手段による画像読取位置の上流側に、前記原稿を搬送する搬送ローラと前記原稿搬送路の湾曲部又は屈曲部とが前記原稿の搬送方向に沿ってこの順序で配置されることを特徴とする。
【０００９】
この構成においては、第１の画像読取手段と第２の画像読取手段との２個の画像読取手段が設けられる。そして、原稿の搬送方向におけるそれぞれの画像読取手段による画像読取位置の上流側に、搬送ローラと原稿搬送路の湾曲部又は屈曲部とが、原稿の搬送方向に沿ってこの順序で配置される。それぞれの画像読取手段の上流側に搬送ローラと湾曲部又は屈曲部とが配置されるので、原稿は、原稿搬送路中のそれぞれの画像読取手段の位置において、原稿搬送路の高さ方向の領域のうち常に外周側の一定の位置を搬送される。
【００１０】
また、第１の画像読取手段による画像読取位置と第２の画像読取手段による画像読取位置との間の原稿搬送路に湾曲部又は屈曲部が設けられるので、一方の画像読取手段から発せられた光が他方の画像読取手段へ迷光として入射することが防止される。
【００１１】
（２）前記第１の画像読取手段は、所定位置に固定された原稿に対して変位して前記原稿の画像を読み取り自在であることを特徴とする。
【００１２】
この構成においては、第１の画像読取手段は、原稿搬送路を所定方向に搬送される原稿の画像を読み取ることができるとともに、所定位置に固定された原稿に対して自らの一部を変位させて原稿の画像を読み取ることができる。すなわち、第１の画像読取手段は、所謂原稿移動方式の画像読取手段と所謂原稿固定方式の画像読取手段とに兼用できるように構成される。
【００１３】
（３）前記第１の画像読取手段は、所定位置に固定された原稿に対して変位して前記原稿の画像を読み取る際のホームポジションにおいて、前記原稿搬送路を所定方向に搬送される原稿の画像を読み取ることを特徴とする。
【００１４】
この構成においては、第１の画像読取手段に対してシェーディング補正用の標準白板が１枚のみ設けられ、固定された原稿の画像を読み取る原稿固定方式におけるシェーディング補正と、所定方向に搬送される原稿の画像を読み取る原稿移動方式におけるシェーディング補正とが、１枚の標準白板で行われる。
【００１５】
また、原稿移動方式における第１の画像読取手段の位置とは別に、原稿固定方式における第１の画像読取手段のホームポジションを設ける必要がない。
【００１６】
（４）前記第１の画像読取手段の読取解像度と前記第２の画像読取手段の読取解像度とは、略同一であることを特徴とする。
【００１７】
この構成においては、第１の画像読取手段と第２の画像読取手段とでそれぞれ同じ画像解像度の画像データが取得される。
【００１８】
（５）前記第１の画像読取手段及び前記第２の画像読取手段は、それぞれ縮小光学系を含むことを特徴とする。
【００１９】
この構成においては、第１の画像読取手段及び第２の画像読取手段がそれぞれ縮小光学系を含むので、それぞれの画像読取手段における画像読取のための光路長が短くなる。
【００２０】
（６）前記原稿搬送路における前記第１の画像読取手段及び前記第２の画像読取手段のそれぞれに対向する位置に、前記各画像読取手段のシェーディング補正に用いられる標準白板が配置されることを特徴とする。
【００２１】
この構成においては、第１の画像読取手段及び第２の画像読取手段のそれぞれにおいて、シェーディング補正が行われる。
【００２２】
（７）前記湾曲部又は前記屈曲部のそれぞれに、搬送される原稿の汚れを除去する汚れ除去部材が配置されることを特徴とする。
【００２３】
この構成においては、第１の画像読取手段の上流側に配置される湾曲部又は屈曲部と、第１の画像読取手段の上流側に配置される湾曲部又は屈曲部とのそれぞれに、汚れ除去部材が配置される。
【発明の効果】
【００２４】
この発明によれば、以下の効果を奏することができる。
【００２５】
（１）原稿搬送路中の両方の画像読取手段による画像読取位置における原稿の搬送位置のバラツキをなくすことができるとともに迷光の入射を防ぐことができる。したがって、高品位な画像データを取得することができる。
【００２６】
（２）第１の画像読取手段を所謂原稿移動方式の画像読取手段と所謂原稿固定方式の画像読取手段とに兼用できるように構成することで、原稿移動方式の画像読取手段とは別に原稿固定方式の画像読取手段を設けることなく、原稿固定方式で原稿の画像を読み取ることができる。したがって、部品点数を減少させ画像読取装置の小型化を図ることができる。
【００２７】
（３）第１の画像読取手段に対して設けるシェーディング補正用の標準白板を１枚のみにすることで、部品点数を少なく抑えることができる。また、原稿移動方式における第１の画像読取手段の位置とは別に、原稿固定方式における第１の画像読取手段のホームポジションを設ける必要をなくすことで、画像読取装置の小型化を図ることができる。
【００２８】
（４）同じ画像解像度の表面の画像の画像データと裏面の画像の画像データとを取得することができる。したがって、表面用と裏面用とで同じ画像処理を適用することができ、画像読取後の画像処理が簡易になる。
【００２９】
（５）それぞれの画像読取手段における画像読取のための光路長が短くなるので、画像読取装置を小型化することができる。
【００３０】
（６）第１の画像読取手段及び第２の画像読取手段のそれぞれにおいてシェーディング補正を行うことで、表裏両面ともに高品位な画像データを取得することができる。
【００３１】
（７）第１の画像読取手段による画像読取位置及び第２の画像読取手段による画像読取位置のそれぞれの上流側において原稿の汚れを除去することで、標準白板が汚れることを防止し、標準白板の長寿命化を図ることができる。
【発明を実施するための最良の形態】
【００３２】
以下に、この発明の実施形態について図面に基づいて説明する。図１は、この発明の実施形態に係る画像読取装置の概略の構成を示す断面図である。この実施形態に係る画像読取装置１は、原稿載置トレイ２から原稿排出トレイ３へ至る原稿搬送路４、原稿の第１面の画像を読み取る第１の画像読取手段５、および原稿の第２面の画像を読み取る第２の画像読取手段６等を備えている。原稿は、原稿搬送路４中を、原稿載置トレイ２から原稿排出トレイ３へ向けて搬送される。原稿の搬送方向において原稿搬送路４の上流側端部にピックアップローラ７及び捌きローラ８が配置され、原稿載置トレイ２上に積載された原稿がピックアップローラ７及び捌きローラ８によって１枚ずつ原稿搬送路４へ供給される。また、原稿の搬送方向において原稿搬送路４の下流側端部に排出ローラ９が配置され、原稿搬送路４を搬送されてきた原稿は排出ローラ９によって原稿排出トレイ３へ排出される。
【００３３】
原稿搬送路４の中間には、第１の画像読取手段５による画像読取位置Ａと、第２の画像読取手段６による画像読取位置Ｂとが設けられている。原稿の搬送方向における画像読取位置Ａの上流側には、搬送ローラ１０、搬送ローラ１１、および原稿搬送路４の湾曲部１２が、原稿の搬送方向に沿ってこの順序で配置されている。搬送ローラ１０，１１はそれぞれ、原稿搬送モータ３５によって駆動され、原稿を画像読取位置Ａへ向けて搬送する。湾曲部１２は、図１において左下方向に凸となる向きに湾曲している。
【００３４】
画像読取位置Ａと画像読取位置Ｂとの間の原稿搬送路４には、上向きに凸の屈曲部１３と、下向きに凸の屈曲部１４とが設けられている。屈曲部１３には、従動ローラ１５が配置され、屈曲部１４の上流側の近傍には搬送ローラ１６が配置されている。搬送ローラ１６は、原稿搬送モータ３５によって駆動され、原稿を画像読取位置Ｂへ向けて搬送する。
【００３５】
第１の画像読取手段５は、露光ランプ５１及び第１の反射ミラー５２を備えた第１の走査ユニット５３、第２の反射ミラー５４及び第３の反射ミラー５５を備えた第２の走査ユニット５６、結像レンズ５７、ＣＣＤセンサ５８を備えている。露光ランプ５１から照射され原稿の第１面で反射された光は、第１の反射ミラー５２、第２の反射ミラー５４及び第３の反射ミラー５５で順次反射されて結像レンズ５７に入射する。結像レンズ５７は、入射した光をＣＣＤセンサ５８上に結像させる。ＣＣＤセンサ５８は、結像レンズ５７によって結像された光を光電変換して画像データとして読み取る。
【００３６】
第１の走査ユニット５３及び第２の走査ユニット５６はそれぞれ、原稿固定方式で原稿の画像を読み取る際に原稿が載置されるプラテンガラス１７に沿った副走査方向に変位自在に構成されている。第１の画像読取手段５は、第１の走査ユニット５３及び第２の走査ユニット５６を副走査方向に変位させることで、プラテンガラス１７上に載置され固定された原稿の画像を読み取り、原稿の画像の画像データを取得することができる。
【００３７】
ここで、原稿搬送路４を搬送される原稿の画像を読み取る所謂原稿移動方式の画像読取時の第１の走査ユニット５３及び第２の走査ユニット５６の位置が、プラテンガラス１７上に載置された原稿の画像を読み取る所謂原稿固定方式の画像読取時の第１の走査ユニット５３及び第２の走査ユニット５６のホームポジションに設定されている。
【００３８】
また、画像読取位置Ａには、プラテンガラス１８が配置されており、露光ランプ５１から発せられた光は、プラテンガラス１８を透過して原稿に照射される。画像読取位置Ａにおける原稿搬送路４のプラテンガラス１８に対向する壁面には、シェーディング補正に用いられる標準白板１９が配置されている。標準白板１９の上流側にある湾曲部１２には、後に詳述する汚れ除去部材が配置されている。汚れ除去部材は、例えばＰＥＴ（ポリエチレンテレフタレート）又はマイラーシートで形成されている。
【００３９】
第２の画像読取手段６は、露光ランプ６１、複数の反射ミラー６２，６３，６４，６５、結像レンズ６６、ＣＣＤセンサ６７を備えている。露光ランプ６１から照射され原稿の第２面で反射された光は、反射ミラー６２〜６５で順次反射されて結像レンズ６６に入射する。結像レンズ６６は、入射した光をＣＣＤセンサ６７上に結像させる。ＣＣＤセンサ６７は、結像レンズ６６によって結像された光を光電変換して画像データとして読み取る。ＣＣＤセンサ６７として、第１の画像読取手段５のＣＣＤセンサ５８の画像の読取解像度と略同一の読取解像度を有するＣＣＤセンサが用いられる。
【００４０】
図２は、画像読取装置１の画像読取位置Ｂの周辺の構成を示す拡大図である。画像読取位置Ｂには、プラテンガラス２０が配置されており、露光ランプ６１から発せられた光は、プラテンガラス２０を透過して原稿に照射される。画像読取位置Ｂにおける原稿搬送路４のプラテンガラス２０に対向する壁面には、シェーディング補正に用いられる標準白板２１が配置されている。
【００４１】
標準白板２１のすぐ上流側にある屈曲部１４から屈曲部１４の下流側にかけての部分であって原稿搬送路４の下側の内壁面に、汚れ除去部材２２が配置されている。汚れ除去部材２２は、例えばＰＥＴ又はマイラーシートで形成されている。原稿搬送路４を搬送されてきた原稿は、屈曲部１４から下流側の部分では原稿搬送路４の下側の壁面に当接しながら搬送される。このとき、原稿は、汚れ除去部材２２に当接しながら移動するので、原稿の第１面（図２において下側の面）の汚れが除去される。これによって、標準白板が原稿の汚れによって汚損されることが防止される。
【００４２】
なお、湾曲部１２の汚れ除去部材も、屈曲部１４の汚れ除去部材２２と同様に湾曲の外周側（下側）の内壁面に配置され、原稿が当接しながら搬送されることで原稿の第１面（図１において下側の面）の汚れが除去され、湾曲部１２の標準白板の汚れが未然に防止される。
【００４３】
図３は、画像読取装置１の概略の構成を示すブロック図である。画像読取装置１は、ＣＰＵ３１、画像読取装置１を動作させる所定のプログラムを格納するＲＯＭ３２、不揮発性のメモリでありＣＰＵ３１の作業領域となるＲＡＭ３３、および、取得した画像データを格納する画像メモリ３４を含む制御部３０を備えている。ＣＰＵ３１には、ＲＯＭ３２、ＲＡＭ３３、画像メモリ３４の他に、搬送ローラ１０，１１，１６等を駆動させる原稿搬送モータ３５、画像読取処理を開始させるスタートキー及び種々の条件設定等を受け付けるタッチパネルを含む操作部３６、第１の画像読取手段５のＣＣＤセンサ５８、第１の走査ユニット５３及び第２の走査ユニット５６を変位させる駆動モータ等を含む第１の画像読取手段負荷機器５９、第２の画像読取手段６のＣＣＤセンサ６７、および、第２の画像読取手段負荷機器６８が接続されている。ＣＰＵ３１は、上述の入出力機器を統括して制御する。
【００４４】
上述のように構成された画像読取装置１では、原稿載置トレイ２に載置された原稿は、ピックアップローラ７によって原稿搬送路４に供給され、搬送ローラ１０によってさらに下流側へ搬送される。そして、原稿は、搬送ローラ１１によって搬送力を与えられ、湾曲部１２において原稿搬送路４の下側の内壁面に当接しながら画像読取位置Ａへ搬送される。原稿の搬送方向において画像読取位置Ａの上流側に搬送ローラ１１と湾曲部１２とがこの順序で配置されていることによって、原稿が画像読取位置Ａを通過する場合に原稿は、画像読取位置Ａにおいて、常に原稿搬送路４中の下側の内壁面に沿って搬送される。原稿が画像読取位置Ａにおいて常に原稿搬送路４の高さ方向の一定の位置を搬送されるので、第１の画像読取手段５の焦点を原稿に合致させることが容易になり、原稿の第１面の画像の高品位な画像データが取得される。
【００４５】
画像読取位置Ａで第１面の画像を読み取られた原稿は、搬送ローラ１１によってさらに屈曲部１３及び屈曲部１４を経由して画像読取位置Ｂへ搬送される。屈曲部１３では、原稿は、従動ローラ１５に誘導されることで円滑に搬送される。原稿の先端部が搬送ローラ１６に到達すると、原稿は、搬送ローラ１６によって搬送力を与えられ、湾曲部１４において原稿搬送路４の下側の内壁面に当接しながらさらに下流側へ向けて搬送される。原稿の搬送方向において画像読取位置Ｂの上流側に搬送ローラ１６と湾曲部１４とがこの順序で配置されていることによって、原稿が画像読取位置Ｂを通過する場合に原稿は、画像読取位置Ｂにおいて、常に原稿搬送路４中の下側の内壁面に沿って搬送される。原稿が画像読取位置Ｂにおいて常に原稿搬送路４の高さ方向の一定の位置を搬送されるので、第２の画像読取手段６の焦点を原稿に合致させることが容易になり、原稿の第２面の画像の高品位な画像データが取得される。
【００４６】
第１の画像読取手段５による画像読取位置Ａと、第２の画像読取手段６による画像読取位置Ｂとの間に、２個の屈曲部１３，１４が設けられていることで、第１の画像読取手段５から原稿に照射された光が原稿搬送路４に沿って画像読取位置Ｂに迷光として入射することが大幅に抑制され、同様に、第２の画像読取手段６から原稿に照射された光が画像読取位置Ａに迷光として入射することが大幅に抑制される。
【００４７】
画像読取装置１によれば、画像読取位置Ａと画像読取位置Ｂとの間に屈曲部１３，１４を設けたことによって、一方の画像読取手段から原稿に照射された光が他方の画像読取手段による画像読取位置に迷光として入射することを抑制することができる。また、画像読取位置Ａの上流側に搬送ローラ１１及び湾曲部１２を原稿の搬送方向に沿ってこの順序で配置し、画像読取位置Ｂの上流側に搬送ローラ１６及び屈曲部１４を原稿の搬送方向に沿ってこの順序で配置したことによって、原稿が両方の画像読取位置Ａ，Ｂにおいて常に原稿搬送路４の高さ方向の一定の位置を搬送される。したがって、両方の画像読取位置Ａ，Ｂにおいて、原稿に焦点が合致しやすくなり、原稿の第１面及び第２面の高品位な画像データを取得することができる。
【００４８】
また、第１の画像読取手段５を原稿移動方式と原稿固定方式とに兼用できるように構成したことで、原稿移動方式の画像読取手段とは別に原稿固定方式の画像読取手段を設けることなく、原稿固定方式で原稿の画像を読み取ることができる。したがって、部品点数を減少させ画像読取装置１の小型化を図ることができる。
【００４９】
さらに、原稿移動方式の画像読取時の第１の走査ユニット５３及び第２の走査ユニット５６の位置が、原稿固定方式の画像読取時の第１の走査ユニット５３及び第２の走査ユニット５６のホームポジションに設定されているので、原稿移動方式におけるシェーディング補正用の標準白板と原稿固定方式におけるシェーディング補正用に標準白板とを兼用することができる。したがって、第１の画像読取手段５に対して設けるシェーディング補正用の標準白板を１枚のみにして、部品点数を少なく抑えることができる。また、原稿移動方式での画像読取時の第１の走査ユニット５３及び第２の走査ユニット５６の位置とは別に、原稿固定方式での画像読取時の第１の走査ユニット５３及び第２の走査ユニット５６のホームポジションを設ける必要がなく、画像読取装置１の小型化を図ることができる。
【００５０】
また、第１の画像読取手段５及び第２の画像読取手段で、ともにＣＣＤセンサ５８，６７を用いたことで、画像読取位置Ａ，Ｂでの焦点深度がともに大きくなり、原稿に焦点がいっそう合致しやすくなり、いっそう高品位な画像データを取得することができる。
【００５１】
さらに、原稿の表面と裏面とについて、同じ画像解像度の画像データを取得することができるので、表面用と裏面用とで同じ画像処理を適用することができ、画像読取後の画像処理が簡易になる。
【００５２】
また、第１の画像読取手段５及び第２の画像読取手段６がともに縮小光学系を含むことで、それぞれの画像読取手段５，６における画像読取のための光路長が短くなり、画像読取装置１を小型化することができる。
【００５３】
さらに、第１の画像読取手段５及び第２の画像読取手段６のそれぞれに対して標準白板１９，２１を配置しシェーディング補正を行うことで、原稿の表裏両面について高品位な画像データを取得することができる。
【００５４】
また、画像読取位置Ａ及び画像読取位置Ｂのそれぞれの上流側において原稿の汚れを除去することで、標準白板１９，２１が汚れることを防止し、標準白板１９，２１の長寿命化を図ることができる。
【００５５】
なお、第２の画像読取手段６としてＣＣＤセンサ６７に代えてＣＩＳを用いた場合にも、画像読取位置Ａ，Ｂそれぞれへの迷光の入射を抑制することができる。
【００５６】
また、画像読取位置Ａと画像読取位置Ｂとの間に屈曲部１３，１４を設けるために、画像読取位置Ａと画像読取位置Ｂとの距離を従来の画像読取装置１００の場合より大きくするとよい。画像読取位置Ａと画像読取位置Ｂとの距離を大きくすることで、一方の画像読取手段から発せられた光が他方の画像読取手段へ迷光としていっそう入射しにくくなるという効果もある。
【００５７】
さらに、上述の実施形態では画像読取位置Ａと画像読取位置Ｂとの間に屈曲部を２個設けたが、１個又は３個以上の屈曲部を設けてもよい。この場合、搬送ローラ又は従動ローラを適宜の箇所に配置する等することで、原稿の搬送性を損なわないようにすることが好ましい。
【００５８】
また、屈曲部１３，１４は、屈曲させるのではなく湾曲させて形成してもよい。また、湾曲部１２は、湾曲させるのではなく屈曲させて形成してもよい。
【００５９】
画像読取装置１は、例えば、イエロー、マゼンタ、シアン、ブラックの各色相用の４個の画像形成部を備えた所謂タンデム型の電子写真方式のカラー画像形成装置に搭載され、カラー画像形成装置は、画像読取装置１で取得された画像データに基づいて用紙等の記録媒体に画像を形成する。
【図面の簡単な説明】
【００６０】
【図１】この発明の実施形態に係る画像読取装置の概略の構成を示す断面図である。
【図２】前記画像読取装置の一部の構成を示す拡大図である。
【図３】前記画像読取装置の概略の構成を示すブロック図である。
【図４】従来の画像読取装置の概略の構成を示す断面図である。
【図５】前記従来の画像読取装置の原稿搬送路中における原稿の搬送位置と画像読取手段の焦点が合致する領域との関係について示す説明図である。
【符号の説明】
【００６１】
１  画像読取装置
４  原稿搬送路
５  第１の画像読取手段
６  第２の画像読取手段
１１，１６  搬送ローラ
１２  湾曲部
１３，１４  屈曲部
５８，６７  ＣＣＤセンサ
１９，２１  標準白板
２２  汚れ除去部材
【図１】
2006093790.tif 000003
【図２】
2006093790.tif 000004
【図３】
2006093790.tif 000005
【図４】
2006093790.tif 000006
【図５】
2006093790.tif 000007